(57)【特許請求の範囲】
【請求項１】
ディスクカートリッジを着脱可能な空間部をその内部に有するシャーシと、このシャーシ内のカートリッジ装着位置におけるディスクカートリッジの下方に位置する回路基板とを備え、この回路基板の部品搭載面であって、前記カートリッジ装着位置におけるディスクカートリッジのカートリッジ挿入側端縁に開口するシャッタ開放部材嵌入部にマウント部品を実装したことを特徴とするディスク装置。
【発明の詳細な説明】
【０００１】
【産業上の利用分野】
本発明は、例えばフロッピィーディスク等のディスクを記録・再生するディスク装置に関するものである。
【０００２】
【従来の技術】
例えばフロッピィーディスク装置等のディスク装置は、パーソナルコンピュータやオフィスコンピュータ等に広く用いられており、その普及は目覚ましい。
【０００３】
一般に、この種のディスク装置には、ディスクカートリッジを挿抜自在に保持するカートリッジホルダーと、このカートリッジホルダーに昇降動作を付与するスライド板と、このスライド板の移動方向にヘッドキャリッジを移送するヘッドキャリッジ駆動装置とを備えたものが知られている。
【０００４】
このように構成されたディスク装置においては、カートリッジホルダー内にディスクカートリッジを挿入すると、スライド板のカートリッジ引き抜き方向の移動によるカートリッジホルダーの下降動作によってディスクカートリッジがアンローディング位置からローディング位置まで移送され、またエジェクト釦をカートリッジ挿入方向に押圧すると、スライド板のカートリッジ挿入方向の移動によるカートリッジホルダーの上昇動作によってディスクカートリッジがローディング位置からアンローディング位置まで移送される。
【０００５】
そして、ヘッドキャリッジ駆動装置が駆動することによりヘッドキャリッジをカートリッジ挿抜方向に移送して記録・再生が行われる。
【０００６】
従来、この種のディスク装置においては、ヘッドキャリッジを駆動するためのモータとしてステッピングモータが用いられている。
【０００７】
そして、このステッピングモータの相励磁を決めるためのステッパーＩＣ等や他の電子部品を実装してなる回路基板は、カートリッジ装着位置に位置決めされたディスクカートリッジの下方に配置されている。
【０００８】
【発明が解決しようとする課題】
ところで、この種のディスク装置においては、近年における装置の薄型化に伴い、各部品の厚さ方向寸法および部品間寸法等の規制が厳しくなり、現状の各寸法より小さい寸法に設定することが困難になってきている。
【０００９】
このため、従来より各部品の厚さ方向寸法あるいは部品間寸法を短縮して装置の薄型化を図ることができるディスク装置の出現が要望されていた。
【００１０】
本発明はこのような要望に応じるべくなされたもので、カートリッジ装着位置におけるディスクカートリッジの下面と回路基板の部品搭載面間の寸法を短縮することができ、もって近年における装置の薄型化に応じることができるディスク装置を提供するものである。
【００１１】
【課題を解決するための手段】
本発明に係るディスク装置は、ディスクカートリッジを着脱可能な空間部をその内部に有するシャーシと、このシャーシ内のカートリッジ装着位置におけるディスクカートリッジの下方に位置する回路基板とを備え、この回路基板の部品搭載面であって、前記カートリッジ装着位置におけるディスクカートリッジのカートリッジ挿入側端縁に開口するシャッタ開放部材嵌入部にマウント部品を実装したものである。
【００１２】
【作用】
本発明においては、回路基板の部品搭載面のカートリッジ装着位置におけるディスクカートリッジのカートリッジ挿入側端縁に開口するシャッタ開放部材嵌入部にマウント部品を実装したので、カートリッジ装着位置におけるディスクカートリッジの下面と回路基板の部品搭載面間の寸法を短縮することができる。
【００１３】
【実施例】
以下、本発明の構成等を図に示す実施例によって詳細に説明する。
【００１４】
図１（Ａ）および（Ｂ）は本発明に係るディスク装置におけるマウント部品の実装位置を説明するために示す断面図、図２（Ａ）および（Ｂ）は同じく本発明におけるディスク装置のカートリッジローディング状態を示す平面図と断面図、図３（Ａ）および（Ｂ）は本発明におけるディスク装置のカートリッジアンローディング状態を示す平面図と断面図、図４は本発明におけるディスク装置の全体を示す分解斜視図、図５はディスクカートリッジを上方から見たシャッタ開状態を示す斜視図、図６はディスクカートリッジを下方から見たシャッタ開状態を示す斜視図、図７（Ａ）および（Ｂ）はディスクカートリッジの各々シャッタ閉状態とシャッタ開状態を示す平面図、図８（Ａ）および（Ｂ）はディスクカートリッジの各々シャッタ閉状態とシャッタ開状態を示す下面図である。
【００１５】
先ず、本発明のディスク装置に装着されるディスクカートリッジにつき、図６〜図８を用いて説明する。
【００１６】
同図において、符号３０１で示すディスクカートリッジは、円盤状に形成してなる磁気ディスク３０２と、この磁気ディスク３０２を回転可能に収納するカートリッジ３０３とを有して構成されている。
【００１７】
このうち磁気ディスク３０２にはデータ記録領域に磁気記録層が形成されており、この磁気記録層に磁気的な手段によって情報信号の書き込みおよび読み出しあるいはこれらのうち一方が行われる。
【００１８】
この磁気ディスク３０２は、一方の主面部が信号記録面となり、中央部には円盤状に形成された金属製のチャッキングハブ３０２ａが設けられている。
【００１９】
一方、カートリッジ３０３は、前記磁気ディスク３０２を内部に収納し得るに十分な空間を有する略箱状の上下一対の上ハーフ３０４と下ハーフ３０５からなり、これら各ハーフ３０４，３０５を互いに突き合わせて構成されている。
【００２０】
このカートリッジ３０３の前面部３０９には、カートリッジホルダーのシャッタ開放用の押圧片（後述）が嵌合してカートリッジ開口部を開蓋状態とするシャッタ開放部材嵌入部３２４が設けられている。
【００２１】
また、このカートリッジ３０３の下ハーフ３０５にはディスク装置本体内のディスクカートリッジ３０１を水平方向に位置決めするカートリッジ位置決めピン（後述）が係合するカートリッジ位置決めピン係合孔３２５，３２６が設けられており、このうち一方側のカートリッジ位置決めピン係合孔３２５の近傍には磁気ディスク３０２に対する情報信号の書き込み可否を選択するための誤消去防止部材３２７が設けられている。
【００２２】
さらに、この下ハーフ３０５には、前記磁気ディスク３０２の信号記録面一部をカートリッジ外に露呈させるための第１開口部３０６が設けられている。
【００２３】
この第１開口部３０６は、前記カートリッジ３０３の一方側面３０７と他方側面３０８の両面間の左右方向略中央部に前記カートリッジ３０３の前面部３０９側よりカートリッジ前後方向略中央部に亘って延在する長孔によって形成されており、前記ディスクカートリッジ３０１がディスク装置本体内に装着された時に磁気ディスク３０２の信号記録面を磁気ヘッド（後述）に臨ませるように構成されている。
【００２４】
そして、上ハーフ３０４には、前記カートリッジ３０３の前面部３０９近傍に位置し前記第１開口部３０６に対応する第２開口部３１６が設けられている。
【００２５】
この第２開口部３１６は、磁気ディスク３０２の他方側主面部の一部をカートリッジ外に露呈させるに十分な大きさの平面視矩形状の開口部として形成されており、前記ディスクカートリッジ３０１がディスク装置本体内に装着された時に磁気ディスク３０２の他方側主面部を磁気ヘッド（後述）に臨ませるように構成されている。
【００２６】
また、カートリッジ３０３の上下各ハーフ３０４，３０５には上下両面に開口するシャッタ部材収納用の凹部３０４ａ，３０５ａが設けられており、これら凹部３０４ａ，３０５ａ内には前記両開口部３０６，３１６を開閉するシャッタ部材３１１が摺動自在に取り付けられている。
【００２７】
このシャッタ部材３１１は、前記下ハーフ３０５の第１開口部３０６を閉蓋する第１シャッタ板部３１２と、この第１シャッタ板部３１２に平行に設けられ前記上ハーフ３０４の第２開口部３１６を閉蓋する第２シャッタ板部３１３と、この第２シャッタ板部３１３および前記第１シャッタ板部３１２の基端部同士を連結する連結片部３１４とによって構成されている。
【００２８】
このシャッタ部材３１１には、捩りコイルスプリング（図示せず）によって前記両開口部３０６，３１６を閉蓋する方向の弾撥力が常時付与されている。
【００２９】
なお、図中矢印Ｘは前記シャッタ部材３１１が前記両開口部３０６，３１６を閉蓋する位置と前記両開口部３０６，３１６を開蓋する位置との間を移動する方向を示す。
【００３０】
次に、このように構成されたディスクカートリッジが装着されるディスク装置につき、図１〜図８を用いて説明する。
【００３１】
同図において、符号１で示すものはディスク回転中心としてのスピンドルモータ軸２およびこのスピンドルモータ軸２の駆動によって回転するディスクテーブル３を内蔵する板金製のシャーシで、各々が互いに対向する２つの側板４，５およびこれら両側板４，５を連結する底板６からなり、例えばパーソナルコンピュータ等の機器筐体（図示せず）内に収納されている。
【００３２】
このシャーシ１の両側板４，５のうち右側板５には前後方向略中央部には、上方に開口しかつ上下方向に延在する第１ガイド溝７が設けられている。
【００３３】
この右側板５には、ディスクカートリッジ３０１の挿抜方向に延在するピン移動用の水平溝８ａおよびこの水平溝８ａに連通するピン着脱用の垂直溝８ｂからなる第２ガイド溝８が設けられている。
【００３４】
また、左側板４には、前記第２ガイド溝８に対応し水平溝からなる第３ガイド溝８Ａが設けられている。
【００３５】
一方、このシャーシ１の底板６の左側縁には、前後方向に開口する貫通孔９ａを有する保持体９および上下方向に延在し第１ガイド溝７に対応する第４ガイド溝７Ａ１を有する側部壁７Ａが設けられている。
【００３６】
この底板６の後方端部両側縁には、シャーシ幅方向に各々が互いに並列するカートリッジ位置決め用の突子６ｃ１を有する２つの切り起こし片６ｃが形成されている。
【００３７】
また、この底板６の後方端縁には、前記左側板４の近傍に位置する第１立ち上がり壁６ａおよびこの第１立ち上がり壁６ａの後方に空隙Ｇをもって第２立ち上がり壁６ｂが一体に設けられている。
【００３８】
１０１は板金製のトップカバーで、前記底板６に対向する天井部１０１ａおよびこの天井部１０１ａに連接しかつ前記各側板４，５に対接する側部１０１ｂ，１０１ｃからなり、前記シャーシ１に装着されている。
【００３９】
このトップカバー１０１には、前記天井部１０１ａの後方端縁一部を折り曲げることにより前記第２立ち上がり壁６ｂに対接する背面部１０１ｄが形成されている。
【００４０】
１０はヘッドキャリッジ送り用の駆動モータとしてのステッピングモータで、モータ機構（図示せず）を内蔵するモータハウジング１０ａおよび前記第１立ち上がり壁６ａの外側端面に対接するモータハウジング取付用のフランジ１０ｂとからなり、前記保持体９の後方に後述するモータ取付部材によって固定されている。
【００４１】
このステッピングモータ１０の出力軸１１は、螺旋状のＶ字溝１１ａを有し前後方向（カートリッジ挿抜方向）に延在するリードスクリュー軸によって形成されている。
【００４２】
この出力軸１１は、前記第１立ち上がり壁６ａを挿通してカートリッジ装着位置におけるディスクカートリッジ３０１の左側側方に配置され、かつ先端部が前記保持体９の貫通孔９ａ内に軸受２０１を介して支承されている。
【００４３】
１０２はモータ取付部材としての金具で、前記モータハウジング１０ａを挾持する弾性変形可能な２つの保持片１０５（一方のみ図示）を有し、前記第１立ち上がり壁６ａに取付ねじ１０７によって固定されている。
【００４４】
１２は前記出力軸１１に平行するガイド軸で、前記シャーシ１の底板６における前記側板４の近傍に保持されており、後述するヘッドキャリッジをカートリッジ挿抜方向に案内し得るように構成されている。
【００４５】
１３はヘッドキャリッジ移動用の基台で、前記出力軸１１を介して対向する上下部片１３ａ，１３ｂと、これら両部片１３ａ，１３ｂを連結する側部片１３ｃとからなり、前記ステッピングモータ１０の駆動によってカートリッジ挿抜方向に進退し得るように構成されている。
【００４６】
１４はスプリング装着部１４ａおよびスプリング係止溝１４ｂを有するアーム押え板で、前記基台１３の上部片１３ａに固定されている。
【００４７】
１５は後述するヘッドアームを押圧付勢する捩りコイルスプリングで、スプリング巻線部が前記スプリング装着部１４ａに装着され、かつ反アーム接触端部が前記スプリング係止溝１４ｂに係止されている。
【００４８】
１６は前記出力軸１１に押圧接触するシャフト押え板で、上方に突出するスプリング装着用の突部１６ａ１を有する断面視コ字状の基部片１６ａと、この基部片１６ａに連接する側部片１６ｂ，１６ｃとからなり、前記基台１３と前記アーム押え板１４との間に進退自在に設けられている。
【００４９】
１７は前記シャフト押え板１６を前記出力軸１１に押圧付勢する圧縮コイルスプリングで、前記突部１６ａ１の周囲に設けられ、かつ前記シャフト押え板１６と前記アーム押え板１４との間に弾装されている。
【００５０】
１８はカートリッジ挿抜方向と交差するような方向に延在するヘッドキャリッジで、前記出力軸１１上に基台１３を介して進退自在に設けられている。
【００５１】
このヘッドキャリッジ１８の先端部には記録・再生を行うヘッド１９が取り付けられており、キャリッジ略中間部には前記ガイド軸１２が挿通するシャフト挿通孔１８ａおよび前記両切り起こし片６ｃのうち左側の切り起こし片６ｃが臨む長孔１８ｂが設けられている。
【００５２】
２０は前記ヘッドキャリッジ１８と同様にカートリッジ挿抜方向と交差するような方向に延在するヘッドアームで、アーム一方端部が前記基台１３上に保持されており、アーム他方端部には前記ヘッド１９に対応するヘッド２１が取り付けられている。
【００５３】
このヘッドアーム２０には、前記基台１３と前記アーム押え板１４との間に介在する弾性片２２が連結されている。
【００５４】
２３は下方に開口する断面視略コ字状のスライド板で、左右方向に延在する前面片２４および各々が互いに補強用のビーム１１１によって連結され前後方向に延在する２つの側片２５，２６を有する天井板２７と、この天井板２７の各側片２５，２６に下方に折り曲げることにより形成され前後方向に延在する２つの側板２９，３０とからなり、前記シャーシ１上にカートリッジ挿抜方向に進退自在に設けられている。
【００５５】
このうち天井板２７の前面片２３の前方端縁右側部には、一部を切り起こし形成することにより前方から後方に向かって下る舌片状の傾斜突子３１をその下面に有する平面視矩形状の取付片３２が一体に設けられている。
【００５６】
この前面片２３のエジェクト釦取付位置近傍には前後方向に延在する長孔３３が前記取付片３２の一部に跨って設けられており、この長孔３３の表側開口周縁長手方向部には同じく前後方向に延在する２つの補強用の突部３４が一体に設けられている。
【００５７】
また、天井板２７には前後方向に延在する長孔３５，３６が設けられており、これら長孔３５，３６の開口周縁後方端部には上下方向に開口するスプリング係止孔３７，３８が設けられている。
【００５８】
この天井板２７の両側片２５，２６のうち右側片２６の後方端縁には、下方に折り曲げることによりアームロック片３９が一体に形成されている。
【００５９】
また、この天井板２７の右側片２６には、カートリッジ挿抜空間部２０２の上方に位置しカートリッジ挿抜方向と交差するような方向に延在する弾性変形可能なカートリッジ挿入防止アーム１１２の一方端部が一体に設けられており、このカートリッジ挿入防止アーム１１２の他方端部には前記ビーム１１１の凸部（後述）において前記トップカバー１０１の変形による押圧力を受けた時にこの押圧力による前記ビーム１１１の変形によって前記カートリッジ挿抜空間部２０２に臨むコ字状の突部１１２ａが折り曲げ形成されている。
【００６０】
そして、この天井板２７の両側片２５，２６に連接する前記ビーム１１１の幅方向略中央部には、前記トップカバー１０１に向かって突出する略半球状の凸部１１１ａが一体に設けられている。
【００６１】
一方、スライド板２３の両側板２９，３０のうち右側板３０には、前後方向に延在する水平溝４０ａ，４１ａおよびこれら各水平溝４０ａ，４１ａに連通し前方から後方に向かって下る勾配をもつ傾斜溝４０ｂ，４１ｂからなる２つのカム溝４０，４１が形成されている。
【００６２】
このスライド板２３の右側板３０には、前記第２ガイド溝８（水平溝８ａ）内に臨むスライドピン４２が設けられている。
【００６３】
また、このスライド板２３の左側板２９には、前記第３ガイド溝８Ａ内に臨むスライドピン４３が設けられている。
【００６４】
この左側板２９の右側方には前記両長孔３５，３６のうち左長孔３５の裏側開口周縁に連接する中側板２９Ａが設けられており、この中側板２９Ａには前後方向に延在する水平溝２９ａ１，２９ｂ１およびこれら各水平溝２９ａ１，２９ｂ１に連通し前方から後方に向かって下る勾配をもつ傾斜溝２９ａ２，２９ｂ２からなる２つのカム溝２９ａ，２９ｂが形成されている。
【００６５】
４４はカートリッジ排出用のエジェクト釦で、前記傾斜突子３１がその内部に臨む貫通窓４５ａおよび後述するストッパに前記スライドピン４２が前記水平溝８ａに沿って移動するストローク内において当接可能な接触子４５ｂを有し前方から後方に向かって拡がる幅寸法をもつ平面視略台形状の操作片４５と、この操作片４５の後方端縁両側部に一体に形成され前記天井板２７の前方端面にエジェクト釦装着状態において各先端部４６ａ，４７ａが当接する２つの案内子４６，４７とからなり、前記取付片３２に着脱自在に設けられている。
【００６６】
４８はディスクカートリッジ３０１の両側縁を挿抜自在に保持するカートリッジホルダーで、前記ヘッドアーム２０のヘッド２１が臨む開口窓４９ａおよび後述するカートリッジシャッター開放用の押圧片が臨むガイド孔４９ｂを有し下方に開口する断面視略コ字状のホルダー本体４９と、このホルダー本体４９の両側部下方端縁に折り曲げ形成されカートリッジ挿入案内用の傾斜部５０ａをその先端部に有するカートリッジ載置片５０とからなり、前記スライド板２３と前記シャーシ１との間に昇降自在に設けられている。
【００６７】
このうちホルダー本体４９の右側側端部には前記第１ガイド溝７および前記各カム溝４０，４１内に臨む第１ホルダーピン５１と第２ホルダーピン５２が設けられており、前方端部両側縁には前記各スプリング係止孔３７，３８に対応する左右２つのスプリング係止片５３，５４が切り起こし形成されている。
【００６８】
このホルダー本体４９の左側端部には、前記側部壁７Ａの第４ガイド溝７Ａ１および前記カム溝２９ａ，２９ｂ内に臨む第３ホルダーピン５５と第４ホルダーピン５５Ａが設けられている。
【００６９】
そして、このホルダー本体４９の前方端縁右側部には、前記長孔３３にカートリッジアンローディング状態において挿通し前記スライド板２３をディスクカートリッジ３０１の挿入方向に移動規制する側面視略台形状のストッパ５６が一体に設けられている。
【００７０】
また、このホルダー本体４９には前記開口窓４９ａの前方に位置し前記カートリッジ挿入防止アーム１１２の突部１１２ａが臨む貫通窓４９ｃが設けられており、この貫通窓４９ｃの開口周縁には前記カートリッジ挿入アーム１１２の先端部近傍に位置するアーム変形防止用の突子５７ａを有する立ち上がり片５７が一体に設けられている。
【００７１】
そして、このホルダー本体４９には、前記開口窓４９ａと前記ガイド孔４９ｂとの間に位置するスプリング装着片５８とスプリング係止片５９が切り起こし形成されている。
【００７２】
６０は前記スライド板２３を前方に付勢する引張コイルスプリングで、両端部が前記スプリング係止孔３７，３８と前記スプリング係止片５３，５４に係止されている。
【００７３】
６１はシャッタ開閉アームを兼用するトリガーアームで、前記アームロック片３９に対応する第１係合面６２ａと第２係合面６２ｂを有する平面視略扇形状の第１アーム６２と、この第１アーム６２に一体に形成され前記ガイド孔４９ｂ内に臨むシャッター押圧片６３ａおよび前記スプリング係止片５９に対応するスプリング係止片６３ｂを有する平面視略短冊状の第２アーム６３とからなり、前記ホルダー本体４９に支軸６４を介して回動自在に保持されている。
【００７４】
６５はディスクカートリッジ３０１のシャッタ部材３１１を閉塞する方向に前記トリガーアーム６１を回動付勢する捩りコイルスプリングで、巻線部が前記スプリング装着片５８に装着され、かつ両端部が各々前記スプリング係止片５９，６３ｂに係止されている。
【００７５】
６６〜６８は各々ディスク（図示せず）の書き込み可否を検出する第１スイッチとディスクカートリッジＤの有無を検出する第２スイッチとディスク種類（２ＤＤ，２ＨＤ，２ＦＤ）を検出する第３スイッチで、前記シャーシ１上の回路基板６９に接続されている。
【００７６】
これら各スイッチ６６〜６８を接続してなる回路基板６９の部品搭載面６９ａであって、カートリッジ装着位置におけるディスクカートリッジ３０１の上下両凹部３０４ａ，３０５ａのうち下方の凹部３０５ａに対応する部位には、例えばステッパーＩＣ等のマウント部品２１０が実装されている。
【００７７】
このマウント部品２１０の最上端面２１０ａは、前記シャッタ部材３１１の開状態において前記凹部３０５ａの開口面３０５ａ１と略同一の面上に位置付けられている。
【００７８】
なお、図中符号ａ１およびａ２は各々ディスクカートリッジ３０１の挿入方向と引き抜き方向を示す。
【００７９】
また、符号ｂ１，ｂ２およびｃ１，ｃ２は各々トリガーアーム６１の回動方向とカートリッジホルダー４８の昇降方向を示す。
【００８０】
このように構成されたディスク装置においては、回路基板６９の部品搭載面であって、カートリッジ装着位置におけるディスクカートリッジ３０１の上下両凹部３０４ａ，３０５ａのうち下方の凹部３０５ａに対応する部位にマウント部品２１０を実装したから、図１（Ａ）に示すようにカートリッジ装着位置にディスクカートリッジ３０１が位置決めされると、ディスクカートリッジ３０１のシャッタ部材３１１の開放によって露呈する凹部３０５ａの開口面３０５ａ１が回路基板６９上のマウント部品２１０の最上端面２１０ａに略接触する高さ位置に位置付けられることになる。
【００８１】
したがって、本実施例においては、カートリッジ装着位置におけるディスクカートリッジ３０１の下面と回路基板６９の部品搭載面間の寸法を短縮することができる。
【００８２】
なお、図１（Ｂ）に示すようにマウント部品２１０がカートリッジ装着位置におけるディスクカートリッジ３０１の凹部３０５ａに対応する部位以外の部位に実装されていると、ディスクカートリッジ３０１がカートリッジ装着位置に位置決めされると、例えばシャッタ部材３１１がマウント部品２１０に当接することになる。
【００８３】
因に、本発明におけるディスク装置のカートリッジローディングおよびカートリッジアンローディングは、次に示すようにして行われる。
【００８４】
先ず、カートリッジローディングは、カートリッジホルダー４８内にディスクカートリッジ３０１を図４にａ１で示す方向に挿入することにより行う。
【００８５】
このとき、トリガーアーム６１が捩りコイルスプリング６５の弾撥力に抗してシャッタ部材３１１を開放するような方向すなわち同図にｂ１で示す方向に回動し、アームロック片３９が第１係合面６２ａとの係合状態を解除して第２係合面６２ｂに係合するため、スライド板２３が引張コイルスプリング６０の弾撥力によって同図にａ２で示す方向に前進する。
【００８６】
また、第２ホルダーピン５２が各カム溝４０，４１に沿って下方に移動すると共に、第４ホルダーピン５５Ａが各カム溝２９ａ，２９ｂに沿って下方に移動するため、第１ホルダーピン５１および第３ホルダーピン５５が各々第１ガイド溝７と第４ガイド溝７Ａ１に沿って図４にｃ２で示す下方に移動し、カートリッジホルダー４８が同方向に移動する。
【００８７】
一方、カートリッジアンローディングは、エジェクト釦４４をディスクカートリッジ３０１の挿入方向すなわち図４にａ１で示す方向に押圧することにより行う。
【００８８】
このとき、スライド板２３が引張コイルスプリング６０の弾撥力に抗して図４にａ１で示す方向に後退すると共に、アームロック片３９が第２係合面６２ｂとの係合状態を解除して第１係合面６２ａに係合するため、トリガーアーム６１が捩りコイルスプリング６５の弾撥力によってシャッタ部材３１１を閉塞するような方向すなわち同図にｂ２で示す方向に回動すると共に、ディスクカートリッジ３０１が同図にａ２で示す方向に移動する。
【００８９】
また、第２ホルダーピン５２が各カム溝４０，４１に沿って上方に移動すると共に、第４ホルダーピン５５Ａが各カム溝２９ａ，２９ｂに沿って上方に移動するため、第１ホルダーピン５１および第３ホルダーピン５５が各々第１ガイド溝７と第４ガイド溝７Ａ１に沿って図１にｃ１で示す上方に移動し、カートリッジホルダー４８が同方向に移動する。
【００９０】
このようにして、カートリッジローディングおよびカートリッジアンローディングが行われる。
【００９１】
なお、本実施例においては、マウント部品がステッパーＩＣである場合を示したが、本発明はこれに限定されるものではなく、他の電子部品でも何等差し支えない。
【００９２】
また、本実施例においては、マウント部品２１０の実装位置がカートリッジ装着位置におけるディスクカートリッジ３０１の凹部３０５ａに対応する位置に設定する例を示したが、本発明はこれに限定されず、カートリッジ装着位置におけるディスクカートリッジのカートリッジ挿入側端縁に開口するシャッタ開放部材嵌入部３２４に対応する位置に設定しても実施例と同様の効果を奏する。
【００９３】
この他、本実施例においては、フロッピィーディスク装置に適用する例を示したが、本発明はこれに限定適用されるものではなく、各種のディスクを記録・再生する他のディスク装置にも実施例と同様に適用可能である。
【００９４】
【発明の効果】
以上説明したように本発明によれば、ディスクカートリッジを着脱可能な空間部をその内部に有するシャーシと、このシャーシ内のカートリッジ装着位置におけるディスクカートリッジの下方に位置する回路基板とを備え、この回路基板の部品搭載面であって、前記カートリッジ装着位置におけるディスクカートリッジのカートリッジ挿入側端縁に開口するシャッタ開放部材嵌入部にマウント部品を実装したので、カートリッジ装着位置にディスクカートリッジが位置決めされると、ディスクカートリッジシャッタの開放によって露呈するディスクカートリッジのカートリッジ挿入側端縁に開口するシャッタ開放部材嵌入部が回路基板上に実装してなるマウント部品の最上端面高さ位置に位置付けられる。
【００９５】
したがって、カートリッジ装着位置におけるディスクカートリッジの下面と回路基板の部品搭載面間の寸法を短縮することができるから、近年における装置の薄型化に応じることができる。
【図面の簡単な説明】
【図１】（Ａ）および（Ｂ）は本発明に係るディスク装置におけるマウント部品の実装位置を説明するために示す断面図。
【図２】（Ａ）および（Ｂ）は同じく本発明におけるディスク装置のカートリッジローディング状態を示す平面図と断面図。
【図３】（Ａ）および（Ｂ）は本発明におけるディスク装置のカートリッジアンローディング状態を示す平面図と断面図。
【図４】本発明におけるディスク装置の全体を示す分解斜視図。
【図５】ディスクカートリッジを上方から見たシャッタ開状態を示す斜視図。
【図６】ディスクカートリッジを下方から見たシャッタ開状態を示す斜視図。
【図７】（Ａ）および（Ｂ）はディスクカートリッジの各々シャッタ閉状態とシャッタ開状態を示す平面図。
【図８】（Ａ）および（Ｂ）はディスクカートリッジの各々シャッタ閉状態とシャッタ開状態を示す下面図。
【符号の説明】
１…シャーシ
６９…回路基板
６９ａ…部品搭載面
２１０…マウント部品
２１０ａ…最上端面
３０１…ディスクカートリッジ
３０３…カートリッジ
３０５…下ハーフ
３０５ａ…凹部
３０５ａ１…開口面
３１１…シャッタ部材
【図１】
0003551500.tif 000002
【図２】
0003551500.tif 000003
【図３】
0003551500.tif 000004
【図４】
0003551500.tif 000005
【図５】
0003551500.tif 000006
【図６】
0003551500.tif 000007
【図７】
0003551500.tif 000008
【図８】
0003551500.tif 000009